(57)【要約】【課題】有価媒体の収納袋を移動させる前に、収納袋のシールが適切に行われていることを確認できる。【解決手段】有価媒体処理装置は、有価媒体を収納する袋の第１の部分が取り付けられる第１の取付部と、袋の第２の部分が取り付けられる第２の取付部と、第１の取付部および第２の取付部の距離を変更するように、第１の取付部および第２の取付部の少なくとも一方を駆動する駆動部と、第１の取付部と第２の取付部とが近づけた状態で袋の開口がシールされた後、第１の取付部と第２の取付部とが離間した離間距離に基づいて、袋のシール状態を判定する制御部と、を有する。を有する。【選択図】図９
2020166425.tif 000002
【特許請求の範囲】
【請求項１】
有価媒体を収納する袋の第１の部分が取り付けられる第１の取付部と、
前記袋の第２の部分が取り付けられる第２の取付部と、
前記第１の取付部と前記第２の取付部との間の距離を変更するように、前記第１の取付部および前記第２の取付部の少なくとも一方を駆動する駆動部と、
前記第１の取付部と前記第２の取付部とを近づけた状態で前記袋の開口がシールされた後、前記第１の取付部と前記第２の取付部とが離間した離間距離に基づいて、前記袋のシール状態を判定する制御部と、
を有する有価媒体処理装置。
【請求項２】
前記制御部は、前記離間距離が第１閾値以上の場合、前記袋のシールは不適切と判定する、
請求項１に記載の有価媒体処理装置。
【請求項３】
前記駆動部は、前記制御部の制御に応じて前記第１の取付部および前記第２の取付部の少なくとも一方を前記第１の取付部および前記第２の取付部が互いに離れる方向に駆動するとき、シールされた前記袋のシール部分がはがれる力より小さい力で駆動する、
請求項１または２に記載の有価媒体処理装置。
【請求項４】
前記第１の取付部および前記第２の取付部の少なくとも一方は、前記第１の取付部および前記第２の取付部が互いに離れる所定方向と前記袋に有価媒体が収納される方向とに垂直な方向に並ぶ複数の部位で構成され、
前記駆動部は、前記複数の部位の各々を独立して前記所定方向に駆動させるように構成される、
請求項１から３のいずれか一項に記載の有価媒体処理装置。
【請求項５】
前記第１の取付部は、前記第１の部分と係合する第１の係合部を有し、
前記第２の取付部は、前記第２の部分と係合する第２の係合部を有し、
前記制御部は、前記袋の開口がシールされた後、前記第１の部分と前記第１係合部との係合、および、前記第２の部分と前記第２係合部との係合が維持された状態において、前記第１の取付部および前記第２の取付部が互いに離れる方向に、前記第１の取付部および前記第２の取付部の少なくとも一方を駆動するように前記駆動部を制御する、
請求項１から４のいずれか一項に記載の有価媒体処理装置。
【請求項６】
前記第１の取付部および前記第２の取付部の少なくとも一方は、加熱部を有し、
前記制御部は、前記第１の取付部と前記第２の取付部とが互いに近づけられた後、前記加熱部を制御して、前記第１の取付部と前記第２の取付部とで挟まれた前記袋の部分を溶着しシールする、
請求項１から５のいずれか一項に記載の有価媒体処理装置。
【請求項７】
前記制御部は、前記袋のシールは不適切と判定した場合、前記加熱部を制御して、前記第１の取付部と前記第２の取付部とで挟まれた前記袋の部分を溶着し再シールする、
請求項６に記載の有価媒体処理装置。
【請求項８】
報知部をさらに備え、
前記制御部は、前記再シールが予め定められた上限回数行われた後、前記袋のシールが不適切と判定した場合、前記報知部を制御し、警告を行う、
請求項７に記載の有価媒体処理装置。
【請求項９】
前記第１の取付部および前記第２の取付部の少なくとも一方は、前記袋の外表面を吸引する吸引部を有し、
前記制御部は、前記袋の開口がシールされた後、前記袋の外表面を前記吸引部で吸引しながら、前記第１の取付部と前記第２の取付部とが互いに離間するよう、前記駆動部を制御する、
請求項１から８のいずれか一項に記載の有価媒体処理装置。
【請求項１０】
前記袋のシールされた部分を撮像する撮像部、をさらに有し、
前記制御部は、前記袋の開口がシールされるとともに前記第１の取付部と前記第２の取付部とが互いに離間された後、前記撮像部により撮像された画像データに基づいて、前記第１の取付部と前記第２の取付部との離間距離を取得する、請求項１から９のいずれか一項に記載の有価媒体処理装置。
【発明の詳細な説明】
【技術分野】
【０００１】
本発明は、有価媒体処理装置に関する。
【背景技術】
【０００２】
特許文献１には、被包装物が入った状態でシールされる包装袋等のシール状態をチェックするシールチェック装置が開示されている。特許文献１のシールチェック装置によれば、シール後の包装袋等を上下のコンベアで挟み込んで、コンベア間隔の変化量を検出することで、包装袋等のシール状態の良否を判断することが開示されている。
【０００３】
一方、紙葉類処理装置から紙幣等の有価媒体を回収する際、有価媒体を収納袋に収納する場合がある。例えば、収納袋には紙葉類が収納され、その後収納袋の開口がシールされる。
【先行技術文献】
【特許文献】
【０００４】
【特許文献１】特開２０１３−３５５９０号公報
【発明の概要】
【発明が解決しようとする課題】
【０００５】
特許文献１のシールチェック装置を用いて、包装袋等のシール状態をチェックする場合、包装袋等のシール状態が不十分だと、たとえば包装袋等をコンベアに載せるまでの間に包装物のシールが不十分な個所から被包装物が出る可能性がある。
【０００６】
また、特許文献１のシールチェック装置を用いて、紙葉類を収納した収納袋のシール状態をチェックする場合、シール後の収納袋を紙葉類処理装置から取り外してコンベアに載せる。この際、収納袋のシールが不十分だと、例えば、シール後の収納袋を紙葉類処理装置から取り外してからコンベアに載せるまでの間に、紙葉類が収納袋から出る可能性がある。このため、有価媒体を収納した収納袋を移動させる前に収納袋のシールが適切に行われていることを確認することが求められる。
【０００７】
本発明は、有価媒体を収納した収納袋を移動させる前に、収納袋のシールが適切に行われていることを確認することができる技術を提供することを目的とする。
【課題を解決するための手段】
【０００８】
本発明の有価媒体処理装置は、有価媒体を収納する袋の第１の部分が取り付けられる第１の取付部と、前記袋の第２の部分が取り付けられる第２の取付部と、前記第１の取付部と前記第２の取付部との距離を変更するように、前記第１の取付部および前記第２の取付部の少なくとも一方を駆動する駆動部と、前記第１の取付部と前記第２の取付部とを近づけた状態で前記袋の開口がシールされた後、前記第１の取付部と前記第２の取付部とが離間した離間距離に基づいて、前記袋のシール状態を判定する制御部と、を有する。
【発明の効果】
【０００９】
本発明によれば、有価媒体を収納した収納袋を移動させる前に収納袋のシールが適切に行われていることを確認することができる。
【図面の簡単な説明】
【００１０】
【図１】第１の実施の形態に係る紙幣処理装置の概略構成図である。
【図２】図１に示す紙幣処理装置における紙幣収納機構の構成の詳細を示す側面図である。
【図３】収納フレームの取付部付近を示した斜視図である。
【図４】収納袋の斜視図である。
【図５】紙幣処理装置の制御系のブロック構成例を示した図である。
【図６】紙幣の押圧後の取付部を示した図である。
【図７】取付部が閉じられた状態を示した図である。
【図８】収納袋のシール部分の引っ張りを説明する図である。
【図９】収納袋のシール状態が不適切な場合の例を示した図である。
【図１０】第２の実施の形態に係る紙幣処理装置の取付部を示した図である。
【発明を実施するための形態】
【００１１】
以下、本発明の実施の形態を、図面を参照して説明する。本明細書において、有価媒体とは、例えば、紙幣、硬貨、商品券、有価証券、または投票用紙を含む概念である。以下では、本発明に係る有価媒体処理装置を紙幣処理装置に適用した例について説明する。
【００１２】
（第１の実施の形態）
図１は、第１の実施の形態に係る紙幣処理装置１の概略構成図である。図１に示すように、紙幣処理装置１は、投入部２と、搬送部３と、識別部４と、一時保留部５と、投出部６と、収納フレーム７，８と、操作表示部９と、制御部１０と、を有している。収納フレーム７，８に取付けられた紙幣を収納する袋としての収納袋２１，２２も示してある。紙幣処理装置１は、例えば、入金処理装置である。紙幣処理装置１は、例えば、スーパーマーケット等の店舗のフロント領域やバックオフィス領域に設置され、または銀行ロビーや銀行のカウンター内部等に設置され、入金処理等の処理を行う。
【００１３】
なお、紙幣処理装置１が入金処理装置であることは例示であり、紙幣処理装置１が出金の際に使用されるカセットやテープ式収納部を備えた入出金機であってもよい。
【００１４】
以下では、紙幣処理装置１に対し、図１に示す位置関係でｘ、ｙ、ｚ軸の直交座標系を設定する。
【００１５】
投入部２には、ユーザにより紙幣が投入される。投入部２は、投入された紙幣を１枚ずつ搬送部３に繰出す繰出機構部を構成する。
【００１６】
識別部４は、搬送部３の周辺であって、投入部２より下流、かつ、一時保留部５、投出部６、および収納フレーム７，８より上流の位置に設けられている。識別部４は、各種センサ（図示せず）を備え、搬送部３で搬送される紙幣の金種、真偽、表裏、正損、新旧等を識別する。搬送部３で搬送される紙幣は、識別部４の識別結果またはユーザの操作等に応じて、一時保留部５、投出部６、および収納フレーム７，８（つまり、収納袋２１，２２）のいずれかに搬送される。
【００１７】
一時保留部５は、テープを用いてドラムに紙幣を巻回するテープ式の紙幣収納繰出機構を構成する。一時保留部５は、搬送部３で搬送された紙幣を一時的に収納し、また、一時的に収納した紙幣を搬送部３に繰り出す。すなわち、紙幣は、一時保留部５を経由して、投入部２から収納袋２１または収納袋２２に搬送される。
【００１８】
投出部６には、搬送部３から搬送された紙幣が集積される。投出部６は、羽根車を回転する羽根車駆動部６ａを有している。投出部６は、搬送部３によって搬送された紙幣を、回転する羽根車によって整列させて集積する。ユーザは、投出部６に集積された紙幣を、紙幣処理装置１の操作表示部９の表示面側から取出すことができる。
【００１９】
収納フレーム７には、収納袋２１が取り付けられる。収納袋２１は、開口が開いた状態で、収納フレーム７に取り付けられる。開口が開いた状態の収納袋２１には、搬送部３によって搬送された紙幣が収納される。
【００２０】
収納フレーム８には、収納袋２２が取り付けられる。収納袋２２は、開口が開いた状態で、収納フレーム８に取り付けられる。開口が開いた状態の収納袋２２には、搬送部３によって搬送された紙幣が収納される。なお、収納フレーム８は、収納フレーム７と同様の構成を有している。よって、収納フレーム８の詳細な説明は適宜省略する。
【００２１】
操作表示部９は、例えば、タッチパネルである。操作表示部９は、紙幣処理装置１に関する各種情報を表示する。例えば、操作表示部９は、紙幣の入金処理の処理状況や、収納袋２１，２２に収納されている紙幣の在高等に関する情報を表示する。また、操作表示部９は、ユーザ操作を受付け、受付けたユーザ操作の情報を、制御部１０に送信する。
【００２２】
制御部１０は、紙幣処理装置１の装置全体の動作を制御する。制御部１０については、以下で詳述する。
【００２３】
なお、収納フレームの数は２つに限られない。収納フレームの数は、１つでもよいし、３つ以上であってもよい。
【００２４】
図２は、収納フレーム７の紙幣収納機構の構成例を示した図である。収納フレーム７は、送出し部３１と、プッシャ（押圧部）３２と、一時保留板３３ａ，３３ｂと、第１の取付部としての取付部３４ａ，第２の取り付け部としての取付部３４ｂと、加熱部３５ａ，３５ｂ，３７ａ，３７ｂと、ステージ（支持部）３６ａ，３６ｂと、撮像部４０とを有している。
【００２５】
送出し部３１は、搬送部３に接続されている。送出し部３１は、搬送部３から送り出された紙幣を一枚ずつ一時保留板３３ａ，３３ｂの上に送り出す。
【００２６】
プッシャ３２は、モータ等の駆動装置（図示せず）によって伸縮するパンタグラフと連結されている。プッシャ３２は、パンタグラフが伸縮することによって、上下方向に移動する。図２には、可動領域のうち最上の位置にある場合のプッシャ３２を示している。最上の位置にあるプッシャ３２は、送出し部３１の紙幣出口より、上方に位置している。プッシャ３２は、図２に示す状態から、収納袋２１の内部に向かって移動する。
【００２７】
一時保留板３３ａ，３３ｂは、送出し部３１より下方に、水平方向に互いに対向するように設けられている。一時保留板３３ａ，３３ｂの下方には、後に説明するように、収納袋２１が位置している。一時保留板３３ａ，３３ｂは、回動軸を有し、モータ等の駆動装置（図示せず）によって、回動軸を中心に回動する。具体的には、図２の矢印Ａ１に示すように、一時保留板３３ａ，３３ｂは、下方向に回動する。
【００２８】
一時保留板３３ａ，３３ｂは、板状の部材である。一時保留板３３ａ，３３ｂは、閉じているとき（図２に示す状態にあるとき）、送出し部３１から送り出される紙幣を一時保留板３３ａ，３３ｂの上面に集積する。すなわち、閉じた状態の一時保留板３３ａ，３３ｂの上面には、紙幣の印刷面が鉛直方向と直交する状態で、紙幣が集積される。閉じた状態の一時保留板３３ａ，３３ｂには、送出し部３１から送り出される紙幣が積み上げられる。一時保留板３３ａ，３３ｂの上部に一時保留された紙幣は、一時保留板３３ａ，３３ｂが開くことによって（図２の矢印Ａ１の方向に回動することによって）、収納袋２１の内部に落下する。一時保留板３３ａ，３３ｂを回動し収納袋２１の内部に紙幣を落下させるタイミングは、たとえば、予め設定された所定枚数の紙幣が一時保留板３３ａ，３３ｂの上に集積されたタイミングである。
【００２９】
プッシャ３２は、収納袋２１に落下した紙幣を上方から下方に向かって押圧する。プッシャ３２は、所定の距離だけ下方に向かって移動し（伸ばし）、収納袋２１内の紙幣を圧縮する。これにより、収納袋２１に落下した紙幣は、プッシャ３２と、ステージ３６ａ，３６ｂとに挟まれることにより圧縮され、紙幣の積層高さを小さくする。紙幣の圧縮（押圧）が完了すると、プッシャ３２は元の位置（最上部の位置）に戻り、一時保留板３３ａ，３３ｂは閉じる。なお、ここではプッシャ３２について説明したが、紙幣処理装置１はプッシャ３２を有さない構成、つまり、収納袋２１内に落下した紙幣は、鉛直方向に圧縮されない構成であってもよい。
【００３０】
取付部３４ａ，３４ｂは、一時保留板３３ａ，３３ｂより下方に設けられている。取付部３４ａ，３４ｂは、水平方向に互いに対向するように設けられている。
【００３１】
取付部３４ａ及び取付部３４ｂの上部は、収納袋２１が取り付けられるように構成されている。取付部３４ａ及び取付部３４ｂは、収納袋２１が取り付けられる前の状態では、互いに離間して配置されている。取付部３４ａ及び取付部３４ｂは、取り付けられた収納袋２１をシールする際に、互いに接近するように構成されている。
【００３２】
具体的には、取付部３４ｂは、駆動部としてのモータ等の駆動装置（図示せず）によって、図２の矢印Ａ２に示すように、水平方向に移動するように構成されている。つまり、取付部３４ｂは、取付部３４ａに向かって近づく、または取付部３４ａから離れるように移動する。取付部３４ｂが取付部３４ａへ近づくことによって、収納袋２１の開口は閉じられる。
【００３３】
なお、ここでは、図示しない駆動部により取付部３４ｂが移動する例を示したが、図示しない駆動部により取付部３４ａが移動してもよいし、取付部３４ａ，３４ｂの両方が、移動してもよい。
【００３４】
加熱部３５ａ，３５ｂは、たとえば、電熱線などを備えるヒータにより構成されている。加熱部３５ａ，３５ｂは、互いに対向して配置されている。加熱部３５ａ，３５ｂは、実質的に同じ高さに設けられている。たとえば、加熱部３５ａは、取付部３４ａの取付部３４ｂに対向する面に露出するように配置され、加熱部３５ｂは、取付部３４ｂの取付部３４ａに対向する面に露出するように配置されている。なお、加熱部３５ａ，３５ｂは、それぞれ、取付部３４ａ，３４ｂの表面に露出しないように配置されてもよい。なお、取付部３４ａおよび取付部３４ｂのいずれか一方が、加熱部を有していてもよい。加熱部３５ａ，３５ｂは、取付部３４ｂが取付部３４ａに向かって移動して、収納袋２１の開口が閉じられた後、制御部１０の制御によって、収納袋２１の対向する部分を溶着できる温度まで上昇させられる。
【００３５】
加熱部３５ａ，３５ｂの温度が上昇すると、収納袋２１の取付部３４ａ，３４ｂで挟まれた部分は、熱溶着される。これにより、収納袋２１の開口は、シールされ、シール部分５０（図８参照）が形成される。
【００３６】
ステージ３６ａ，３６ｂは、取付部３４ａ，３４ｂより下方に設けられている。ステージ３６ａ、３６ｂは、水平方向に互いに対向するように設けられている。ステージ３６ａ，３６ｂの間には、隙間が形成されており、取付部３４ａ，３４ｂに取り付けられた収納袋２１の一部（下部）は、この隙間を通って、ステージ３６ａ，３６ｂの下方に位置する。ステージ３６ａ，３６ｂは、収納袋２１を介して、収納袋２１内に収納された紙幣を下方から支持する。
【００３７】
ステージ３６ａ，３６ｂは、モータ等の駆動装置（図示せず）によって、図２の矢印Ａ３に示すように、上下方向に移動するように構成されている。また、ステージ３６ｂは、モータ等の駆動装置（図示せず）によって、図２の矢印Ａ４に示すように、左右方向に移動するように構成されている。ステージ３６ｂの移動によって、ステージ３６ａとステージ３６ｂとの隙間が狭められたり広げられたりする。なお、ステージ３６ａが移動してもよい。また、ステージ３６ａ，３６ｂの両方が移動してもよい。
【００３８】
加熱部３７ａ，３７ｂは、たとえば、電熱線などを備えるヒータにより構成されている。加熱部３７ａ，３７ｂは、互いに対向して配置されている。加熱部３７ａ，３７ｂは、実質的に同じ高さに設けられている。たとえば、加熱部３７ａは、ステージ３６ａのステージ３６ｂに対向する面に露出するように配置され、加熱部３７ｂは、ステージ３６ｂのステージ３６ａに対向する面に露出するように配置されている。なお、加熱部３７ａ，３７ｂは、それぞれ、ステージ３６ａ，３６ｂの表面に露出しないように配置されてもよい。なお、ステージ３６ａおよびステージ３６ｂのいずれか一方が、加熱部を有していてもよい。加熱部３７ａ，３７ｂは、ステージ３６ｂがステージ３６ａに向かって移動して、収納袋２１の一部（下部）が閉じられた後、制御部１０の制御によって、収納袋２１の対向する部分を溶着できる温度まで上昇させられる。
【００３９】
加熱部３７ａ，３７ｂの温度が上昇すると、収納袋２１のステージ３６ａ，３６ｂで挟まれている部分は、熱溶着される。これにより、収納袋２１は、収納袋２１の内部に収納されている紙幣の下方部分においてシールされる。なお、ステージ３６ａおよびステージ３６ｂのいずれか一方が、加熱部を有していてもよい。
【００４０】
撮像部４０は、収納フレーム７の中に配置され、収納袋２１および取付部３４ａ，３４ｂを上方から撮影し、画像データを制御部１０へ送信する。撮像部４０は、収納袋２１および取付部３４ａ，３４ｂを撮影することができれば、収納フレーム７の中でない場所に配置されてもよい。
【００４１】
図３は、収納フレーム７の取付部３４ａ，３４ｂ付近を示した斜視図である。
【００４２】
取付部３４ａ，３４ｂは、概略的には直方体形状に形成されている。取付部３４ａ，３４ｂは、互いが対向するように離間した状態で、略四角形状の枠体４１の内側に設けられている。取付部３４ｂは、パンタグラフ等の駆動機構と連結され、図３中に矢印Ａ２で示されるように、取付部３４ａに接近する方向、及び、取付部３４ａから離間する方向に移動可能となっている。なお、図３中の矢印Ａ２の方向は、図２中の矢印Ａ２の方向と一致している。
【００４３】
取付部３４ａの上面には、第１の係合部としてのピン４２ａａ〜４２ａｃが設けられている。取付部３４ｂの上面には、第２の係合部としてのピン４２ｂａ〜４２ｂｃが設けられている。ピン４２ａａ〜４２ａｃ，４２ｂａ〜４２ｂｃには、収納袋２１に設けられた穴（図４の穴５２ａａ〜５２ａｃ，５２ｂａ〜５２ｂｃ参照）が係合される。収納袋２１に設けられた穴を、ピン４２ａａ〜４２ａｃ，ピン４２ｂａ〜４２ｂｃに係合することにより、収納袋２１は、収納フレーム７に取り付けられる。なお、ピン４２ａａ〜４２ａｃ、４２ｂａ〜４２ｂｃの形状及び大きさなどは、収納袋２１に設けられた穴の形状及び大きさなどに応じて、種々変更してもよい。
【００４４】
取付部３４ｂの長手方向の端部には、ガイドピン４３が設けられている。ガイドピン４３は、枠体４１に設けられた長穴４４に案内されている。長穴４４は、穴の長手方向が、取付部３４ａ，３４ｂの対向する方向と平行となるように、枠体４１に形成されている。この長穴４４に、ガイドピン４３が案内されることにより、ガイドピン４３を有する取付部３４ｂは、図３に示す矢印Ａ２の方向に移動できる。
【００４５】
図４は、収納袋２１の斜視図である。図４に示すように、収納袋２１は、第１の部分としての被取付部５１ａと，第２の部分としての被取付部５１ｂと、を有している。また、収納袋２１は、第１の部分としての穴５２ａａ〜５２ａｃと，第２の部分としての穴５２ｂａ〜５２ｂｃと、を有している。なお、収納袋２２は、収納袋２１と同様の構成を有する。よって、収納袋２２の詳細な説明は適宜省略する。
【００４６】
収納袋２１は、例えば、ポリエチレン等の高分子化合物、又は、アルミニウム等の金属、またはそれらの組み合わせによって形成されている。収納袋２１は、たとえばポリエチレンを材料とする。収納袋２１は、上部に開口を有している。一時保留板３３ａ，３３ｂから落下した紙幣は、収納袋２１の開口を介して、収納袋２１内に収納される。
【００４７】
被取付部５１ａは、収納袋２１の開口側の端部に設けられている。被取付部５１ａには、穴５２ａａ〜５２ａｃが形成されている。被取付部５１ａに形成された穴５２ａａ〜５２ａｃを、図３に示した収納フレーム７の取付部３４ａのピン４２ａａ〜４２ａｃに係合させることにより、被取付部５１ａは、取付部３４ａに取付けられる。
【００４８】
被取付部５１ｂは、収納袋２１の開口側の端部であって、被取付部５１ａに対向する位置に設けられている。被取付部５１ｂには、穴５２ｂａ〜５２ｂｃが形成されている。被取付部５１ｂに形成された穴５２ｂａ〜５２ｂｃを、図３に示した取付部３４ｂのピン４２ｂａ〜４２ｂｃに係合させることにより、被取付部５１ｂは、図３に示した収納フレーム７の取付部３４ｂに取付けられる。
【００４９】
被取付部５１ａ及び被取付部５１ｂが、取付部３４ａ及び取付部３４ｂに取り付けられると、穴５２ｂａ〜５２ｂｃには、ピン４２ｂａ〜４２ｂｃが係合する。よって、取付部３４ｂを、図３に示す矢印Ａ２で示されるように、取付部３４ａに近づけたり、取付部３４ａから離間させたりすると、被取付部５１ｂは、取付部５１ａに近づいたり、取付部５１ａから離間したりする。
【００５０】
図５は、紙幣処理装置１の制御系のブロック構成例を示した図である。
【００５１】
制御部１０には、図１で説明した投入部２、搬送部３、識別部４、一時保留部５、羽根車駆動部６ａ、収納フレーム７，８、および操作表示部９が接続されている。また、制御部１０には、図１に図示していない記憶部６１および通信インタフェース部６２が接続されている。制御部１０は、例えば、ＣＰＵ（Central Processing Unit）で構成され、接続されている各部を制御する。図１に示された例では、制御部１０は紙幣処理装置１の内部に設けられているが、制御部１０が紙幣処理装置１の外部に設けられてもよい。
【００５２】
記憶部６１には、制御部１０が動作するためのプログラムが記憶される。また、記憶部６１には、制御部１０が計算処理を行うためのデータや、接続されている各部を制御するためのデータ等が記憶される。
【００５３】
通信インタフェース部６２には、例えば、インターネット等のネットワークを介して、サーバ等の上位装置（図示せず）が接続される。制御部１０は、通信インタフェース部６２を介して、上位装置と通信を行う。例えば、制御部１０は、通信インタフェース部６２を介して、紙幣処理装置１の在高の情報等を上位装置に送信する。
【００５４】
収納フレーム７は、プッシャ駆動部（押圧駆動部）７１と、一時保留板駆動部７２と、保持部駆動部７３と、ステージ駆動部（駆動部）７４と、を有している。また、収納フレーム７は、図２で説明した加熱部３５ａ，３５ｂ、３７ａ、３７ｂを有している。
【００５５】
プッシャ駆動部７１は、制御部１０の制御に応じて、プッシャ３２を上下方向に移動させる。一時保留板駆動部７２は、制御部１０の制御に応じて、一時保留板３３ａ，３３ｂを開閉させる。保持部駆動部７３は、制御部１０の制御に応じて、取付部３４ｂを取付部３４ａに近付ける方向、及び、取付部３４ａから離間する方向に移動させる。ステージ駆動部７４は、制御部１０の制御に応じて、ステージ３６ａ，３６ｂを上下方向に移動させる。また、ステージ駆動部７４は、制御部１０の制御に応じて、ステージ３６ｂをステージ３６ａに近付ける方向、及び、ステージ３６ａから離間する方向に移動させる。加熱部３５ａ，３５ｂは、制御部１０の制御に応じて、自身の温度を上昇させる。加熱部３７ａ，３７ｂは、制御部１０の制御に応じて、自身の温度を上昇させる。
【００５６】
収納フレーム８は、プッシャ（押圧駆動部）８１と、一時保留板駆動部８２と、保持部駆動部８３と、ステージ駆動部（駆動部）８４と、加熱部８５，８６と、を有している。収納フレーム８のプッシャ駆動部８１、一時保留板駆動部８２、保持部駆動部８３、およびステージ駆動部８４は、制御部１０の制御に応じて、収納フレーム７のプッシャ駆動部７１、一時保留板駆動部７２、保持部駆動部７３、およびステージ駆動部７４と同様の動作を行う。
【００５７】
収納フレーム８の加熱部８５は、収納フレーム７の加熱部３５ａ，３５ｂと同様に、収納フレーム８が有する保持部内に設けられている。収納フレーム８の加熱部８５は、収納フレーム７の加熱部３５ａ，３５ｂと同様に、制御部１０の制御に応じて、自身の温度を上昇させる。
【００５８】
収納フレーム８の加熱部８６は、収納フレーム７の加熱部３７ａ，３７ｂと同様に、収納フレーム８が有するステージ内に設けられている。収納フレーム８の加熱部８６は、収納フレーム７の加熱部３７ａ，３７ｂと同様に、制御部１０の制御に応じて、自身の温度を上昇させる。
【００５９】
以下、図６〜図９を参照して、収納袋２１，２２の回収における、紙幣処理装置１の動作例について説明する。以下では、収納フレーム７に取り付けられた収納袋２１が回収される例について、説明する。
【００６０】
（収納袋２１の熱溶着処理）
図６は、平面視における、収納袋２１を介して、ステージ３６ａ，３６ｂの上に紙幣Ｂ１が集積された状態を示している。紙幣が収納された収納袋２１は、所定のタイミングで紙幣処理装置１のユーザまたは紙幣の回収業者等によって回収される。紙幣処理装置１のユーザ等が、操作表示部９を介して回収処理開始の操作を行うと、紙幣が収納された収納袋２１の回収処理が開始される。
【００６１】
操作表示部９を介して回収処理開始の操作を受け付けると、制御部１０は、取付部３４ｂを取付部３４ａに近づく方向に移動させる。これにより、収納袋２１が取付部３４ｂ及び取付部３４ａにより挟み込まれた状態となり、収納袋２１の開口は閉じられる。このときの状態が図７に示されている。図７中の矢印Ａ５は、収納袋２１の開口が閉じられる際の、取付部３４ｂの移動方向を示している。
【００６２】
制御部１０は、取付部３４ａ，３４ｂが閉じられた後、加熱部３５ａ，３５ｂ（図２参照）を制御し、加熱部３５ａ，３５ｂの温度を上昇させる。加熱部３５ａ，３５ｂの温度が上昇すると、収納袋２１の取付部３４ａ，３４ｂで挟まれている部分は、熱溶着される。これにより、収納袋２１の収納されている紙幣よりも上方の部分が、シールされる。
【００６３】
つぎに、制御部１０は、取付部３４ａ，３４ｂと同様に、加熱部３７ａ，３７ｂ（図２参照）を制御し、加熱部３７ａ，３７ｂの温度を上昇させる。加熱部３７ａ，３７ｂの温度が上昇すると、収納袋２１のステージ３６ａ，３６ｂで挟まれている部分は、熱溶着される。これにより、収納袋２１の収納されている紙幣よりも下方の部分が、シールされる。
【００６４】
（取付部３４ａ，３４ｂの離間処理）
収納袋２１における収納紙幣よりも上方の部分および下方の部分がシールされた後、制御部１０は、取付部３４ｂ及び取付部３４ａの離間処理を行う。具体的には、制御部１０は、保持部駆動部７３を制御し、取付部３４ｂを取付部３４ａから離れる方向に移動させる。このときの状態が図８に示されている。図８中の矢印Ａ６は、離間処理が行われる際の、取付部３４ｂの移動方向を示している。これにより、収納袋２１における収納されている紙幣よりも上方の部分におけるシール部分５０に、取付部３４ａ及び取付部３４ｂが離間する方向に力が作用する。言い換えると、取付部３４ａ及び取付部３４ｂにより、収納袋２１の対向する内面同士（熱溶着された部分）を引き離す方向に、収納袋２１のシール部分５０が引っ張られる。
【００６５】
制御部１０は、シール部分５０にシール部分５０がはがれない程度の力がかかるように、保持部駆動部７３を駆動し、取付部３４ｂを取付部３４ａから離れる方向に移動させる。なお、シール部分５０がはがれない程度の力が発生するように、保持部駆動部７３の駆動力は予め設定されている。
【００６６】
収納袋２１のシール部分５０が十分にシールされていれば、取付部３４ｂを取付部３４ａから離間する方向に移動させようとしても、取付部３４ｂは移動しない、または、微量のみ移動する。
【００６７】
一方、収納袋２１のシール部分５０が十分にシールされていなければ、取付部３４ｂを取付部３４ａから離間する方向に移動させようとすると、収納袋２１のシール部分５０が開いてしまうので、取付部３４ｂはある程度移動してしまう。
【００６８】
なお、収納袋２１のシール部分５０が十分にシールされていない状態が発生する原因としては、例えば以下のようなものがある。（１）収納袋２１が取付部３４ａ，３４ｂに適切に取り付けられていなかった。（２）取付部３４ａ，３４ｂが互いに対向する位置において、収納袋２１の内面領域に紙幣Ｂ１又はゴミなどの異物があり、それらが挟み込まれた状態で、熱溶着が行われた。
【００６９】
制御部１０は、取付部３４ｂの移動量から、収納袋２１が十分にシールされたか否かを判定できる。言い換えると、制御部１０は、取付部３４ａ，３４ｂの離間距離から、収納袋２１が十分にシールされたか否かを判定できる。
【００７０】
なお、取付部３４ｂに連結されたパンタグラフは、例えば、ばね等の付勢部材によって、取付部３４ａから離間する方向に付勢されるように構成されてもよい。この場合、保持部駆動部７３は、付勢部材の付勢力を利用して、取付部３４ｂを図８中に矢印Ａ６で示される方向に移動させることができる。つまり、保持部駆動部７３による取付部３４ｂの駆動には、付勢部材の付勢力を利用した駆動が含まれてもよい。
【００７１】
（離間距離の取得）
制御部１０は、取付部３４ｂを取付部３４ａから離間させる処理が行われた後、保持部駆動部７３によって、取付部３４ａから離間する方向に、取付部３４ｂに力が作用している状態で、取付部３４ａと取付部３４ｂとの離間距離を取得する。つまり、制御部１０は、収納袋２１のシール部分５０が引き離されるような力がかかっている状態で、取付部３４ｂと取付部３４ｂの離間距離を取得する。
【００７２】
なお、保持部駆動部７３は、制御部１０から通知された取付部３４ｂの移動量または位置に基づいて、取付部３４ｂを移動（駆動）させてもよい。制御部１０は、保持部駆動部７３に通知した取付部３４ｂの移動量または位置から、取付部３４ａと取付部３４ｂとの離間距離を取得してもよい。より具体的に言えば、取付部３４ｂを取付部３４ａから離間させる処理がされた際に、制御部１０は、保持部駆動部７３を駆動させる際に発した信号に基づき取付部３４ａと取付部３４ｂとの離間距離または相対位置を取得してもよい。
【００７３】
また、制御部１０は、取付部３４ｂの実際の移動量または移動後の位置を取得することで、取付部３４ａと取付部３４ｂとの離間距離を取得してもよい。この場合、保持部駆動部７３は、取付部３４ｂの移動量または位置を計測（把握）する機能を有していてもよい。より具体的に言えば、取付部３４ｂを取付部３４ａから離間させる処理がされた際に、取付部３４ｂの移動量に比例するパラメータ、例えば、保持部駆動部７３が発するパルス信号の数を、制御部１０が保持部駆動部７３から取得することによって、制御部１０が取付部３４ａと取付部３４ｂとの離間距離を取得してもよい。
【００７４】
また、制御部１０は、撮像部４０により取得された画像データに基づいて、取付部３４ａと取付部３４ｂとの離間距離を取得してもよい。例えば、制御部１０は、画像解析により、画像データに含まれる取付部３４ａと取付部３４ｂとを認識し、認識した取付部３４ａと取付部３４ｂとの離間距離を取得してもよい。
【００７５】
（シール状態の判定）
制御部１０は、取付部３４ａと取付部３４ｂとの離間距離を取得すると、取得した離間距離に基づいて、収納袋２１の収納紙幣上側のシール状態が十分（適切）であるか否かを判定する。
【００７６】
制御部１０は、取付部３４ａと取付部３４ｂとの離間距離が第１閾値以上の場合、収納袋２１のシール状態は不適切であると判定する。一方、制御部１０は、取付部３４ｂと取付部３４ｂとの離間距離が第１閾値未満である場合、収納袋２１のシール状態は適切であると判定する。
【００７７】
第１閾値は、たとえば、２ｍｍ以上８ｍｍ以下の値に設定できる。より具体的には、第１閾値は、５ｍｍであってもよい。なお、第１閾値は、使用される収納袋２１の材料特性（伸縮性等）や、紙幣処理装置１の設置環境など、各種条件を考慮した値が設定されてもよい。
【００７８】
（不適切なシール状態）
図９は、収納袋２１のシール状態が不適切な場合の例を示した図である。収納袋２１のシール状態が不適切な場合、斜線で表すようにシール部分５０に隙間９０ができてしまう。このような状態では、収納袋２１の輸送中などに、収納袋２１のシール部分５０から、収納した紙幣が外に出る可能性がある。
【００７９】
矢印Ａ７は、取付部３４ａと取付部３４ｂとの離間距離を示している。図９に示す「ｗ」は、第１閾値を示している。図９に示されるように、取付部３４ｂと取付部３４ｂとの離間距離Ａ７は、第１閾値ｗを超えている。したがって、制御部１０は、収納袋２１のシール状態が図９に示される状態である場合、収納袋２１のシール状態は不適切と判定する。
【００８０】
制御部１０は、シール状態の判定処理により、収納袋２１のシール状態が適切であると判定した場合、例えば、操作表示部９に対し、シール状態が適切である旨を表示してもよい。また、制御部１０は、収納袋２１のシール状態が適切であると判定した場合、スピーカ等の音声出力装置によって、収納袋２１のシール状態が適切であることを示す音声を出力してもよい。これにより、紙幣処理装置１のユーザまたは紙幣の回収業者等は、紙幣処理装置１から、収納袋２１を取出すことができる状態であることを認識することができ、収納袋２１を取り出す作業に取りかかることができる。
【００８１】
一方、制御部１０は、シール状態の判定処理により、収納袋２１のシール状態が不適切であると判定した場合、例えば、操作表示部９に対し、シール状態が不適切である旨を表示してもよい。また、制御部１０は、収納袋２１のシール状態が不適切であると判定した場合、スピーカ等の音声出力装置によって、収納袋２１のシール状態が不適切であることを示す音声を出力してもよい。すなわち、操作表示部９及び音声出力部は、報知部として機能する。この場合、制御部１０は、紙幣処理装置１のユーザまたは紙幣の回収業者等から、再度、収納袋２１の回収操作を受付けてもよい。制御部１０は、再度の回収操作の受付に応じて、収納袋２１を再度シールしてもよい。その際、制御部１０は、収納袋２１内に収納された紙幣を押圧する処理を省略し、収納袋２１をシールする処理を実行してもよい。
【００８２】
（第１の実施の形態のまとめ）
以上説明したように、紙幣処理装置１は、紙幣を収納する収納袋２１の被取付部５１ａが取り付けられる取付部３４ａと、収納袋２１の被取付部５１ｂが取り付けられる取付部３４ｂと、取付部３４ａと取付部３４ｂとの間の距離を変更するように、取付部３４ａおよび取付部３４ｂの少なくとも一方を駆動する保持部駆動部７３と、取付部３４ａと取付部３４ｂとが近づくことにより収納袋２１の開口がシールされた後、保持部駆動部７３を駆動させることにより取付部３４ａと取付部３４ｂとが離間した離間距離に基づいて、収納袋２１のシール状態を判定する制御部１０と、を有する。これにより、紙幣を収納した収納袋を移動させる前に収納袋のシールが適切に行われていることを確認することができる。このように、収納袋のシール状態を確認することができれば、再度シールをするなど対応することにより、回収される収納袋２１から紙幣が出るのを防止できる。また、紙幣処理装置１は、回収される収納袋２１から紙幣が抜き取られるのを防止できる。
【００８３】
（変形例１）
取付部３４ａ，３４ｂの一方または双方には、収納袋２１の外表面を吸引する吸引部が設けられてもよい。吸引部は、例えば、単数または複数の穴を有し、気圧差を利用して、収納袋２１の外表面を吸引してもよい。
【００８４】
吸引部の穴は、取付部３４ａ，３４ｂにおいて互いが対向する面に設けられてもよい。また、吸引部は、取付部３４ａ，３４ｂの下方に対向して設けられてもよい。
【００８５】
制御部１０は、収納袋２１の収納されている紙幣よりも上方の部分がシールされた後、収納袋２１の外表面を吸引するよう吸引部を制御しつつ、取付部３４ａと取付部３４ｂとが互いに離間するよう、保持部駆動部７３を制御してもよい。
【００８６】
これにより、収納袋２１のシール部分５０に生じた隙間が吸引部の吸引によって広げられ、収納袋２１のシール部分５０に生じた隙間９０が、取付部３４ａ，３４ｂの離間距離として適切に現れる。このため、紙幣処理装置１は、収納袋２１のシール状態の適切な判定を行うことができる。
【００８７】
（変形例２）
第１の実施の形態では、制御部１０は、収納袋２１のシール状態が不適切であると判定した場合、シール状態が不適切である旨を紙幣処理装置１のユーザまたは紙幣の回収業者等に報知したがこれに限られない。制御部１０は、収納袋２１のシール状態が不適切であると判定した場合、シール状態が不適切である旨を紙幣処理装置１のユーザまたは紙幣の回収業者等に報知せず、収納袋２１のシール処理を自動的に再実行してもよい。その際、制御部１０は、収納袋２１をシールする処理及びその後の処理を実行してもよい。
【００８８】
収納袋２１のシールが不適切であると判定された場合に、収納袋２１のシールの再処理を行う回数の上限が予め設定されていてもよい。上限回数は適宜変更でき、たとえば、３回に設定されている。制御部１０は、不適切判定が行われた際、上限回数まで、収納袋２１のシールの再処理を行ってもよい。制御部１０は、上限回数まで収納袋２１のシールの再処理を行った後、再度不適切と判定した場合、操作表示部９を介して警告してもよい。
【００８９】
また、上限回数は、収納袋２１を回収する回収者に応じて異なっていてもよい。例えば、操作表示部９に入力された情報から、収納袋２１を回収する回収者が回収業者であると判断される場合、紙幣処理装置１のユーザであると判断される場合よりも、上限回数が大きく設定されてもよい。
【００９０】
（変形例３）
第１の実施の形態では、収納袋２１は、熱溶着によってシールされたがこれに限られない。例えば、収納袋２１の内側であって、取付部３４ａと取付部３４ｂとで挟まれる位置に、接着剤や粘着テープ等の部材を配置してもよい。また、収納袋２１は、機械的にシールされる収納袋であってもよい。例えば、収納袋２１は、ＵＳ９，０８０，３６８Ｂ２の図９に示される機械的にシールされる収納袋であってもよい。
【００９１】
（変形例４）
取付部３４ａは、加熱部３５ａの上側（図２の＋ｚ軸方向側）に、加熱部３５ａとは別の加熱部を備えてもよい。言い換えると、取付部３４ａには、複数の加熱部が設けられてもよい。取付部３４ｂについても、同様である。
【００９２】
制御部１０は、例えば、１回目のシール処理を実行するとき、加熱部３５ａ，３５ｂの温度を上昇させ、収納袋２１をシールしてもよい。そして、制御部１０は、１回目のシール処理において、収納袋２１のシール状態を不適切と判定した場合、２回目のシール処理においては、加熱部３５ａ，３５ｂの上側の別の加熱部の温度を上昇させてもよい。すなわち、制御部１０は、収納袋２１の２回目のシール処理においては、１回目とは異なる部分をシールしてもよい。
【００９３】
これにより、紙幣処理装置１は、２回目の収納袋２１のシール処理において、不適切なシール状態の発生を抑制できる。
【００９４】
例えば、１回目のシール処理において、収納袋２１の加熱部３５ａ，３５ｂの部分に、異物（紙幣であってもよい）が挟まっていたとする。そして、１回目のシール処理は、不適切と判定されたとする。この場合、２回目のシール処理では、１回目のシール処理とは異なる部分（異物が挟まっていない加熱部３５ａ，３５ｂの上側の部分）がシールされるので、収納袋２１は、適切にシールされる可能性が高くなる。
【００９５】
なお、取付部３４ａは、加熱部３５ａの下側（図２の−ｚ軸方向側）に、加熱部３５ａとは別の加熱部を備えてもよい。取付部３４ｂは、加熱部３５ｂの下側に、加熱部３５ｂとは別の加熱部を備えてもよい。
【００９６】
また、収納フレーム７は、取付部３４ａの下側および上側の一方または両方に、取付部３４ａとは別体の加熱部を有してもよい。収納フレーム７は、取付部３４ｂの下側および上側の一方または両方に、取付部３４ｂとは別体の加熱部を有してもよい。取付部３４ａ，３４ｂと別体に設けられた加熱部は、取付部３４ａ，３４ｂに連動して可動する。
【００９７】
（変形例５）
第１の実施の形態では、制御部１０は、取付部３４ａ，３４ｂの離間距離に基づいて、収納袋２１のシール状態を判定したがこれに限られない。制御部１０は、撮像部４０の画像データを解析して、シール部分５０に生じた隙間９０を検出し、収納袋２１のシール状態を判定してもよい。例えば、制御部１０は、図９に斜線で示される隙間９０を画像解析により検出し、収納袋２１のシール状態を判定してもよい。より具体的には、制御部１０は、画像解析した隙間９０の面積を取得し、取得した面積が、予め定められた第２閾値以上の場合、収納袋２１のシール状態は不適切と判定してもよい。
【００９８】
（変形例６）
第１の実施の形態では、収納袋２１が回収される場合について説明したが、収納袋２２が回収される場合の動作も同様である。また、上記では、制御部１０は、保持部駆動部７３を制御して、取付部３４ｂを駆動するとしたが、取付部３４ａを駆動してもよい。
【００９９】
（第２の実施の形態）
第２の実施の形態では、取付部３４ａ，３４ｂの各々が、複数の部位で構成されている。以下では、第１の実施の形態と異なる部分について説明する。
【０１００】
図１０は、第２の実施の形態に係る紙幣処理装置１の取付部３４ａ，３４ｂについて、平面視した図である。図１０において、図１〜図３と同じものには同じ符号が付してある。
【０１０１】
図１０に示すように、取付部３４ａは、取付部３４ａおよび取付部３４ｂが互いに離れる方向（ｙ軸方向）、及び、収納袋２１に紙幣が収納される方向（ｚ軸方向）に垂直な方向（ｘ軸方向）に並ぶように、３つの部位３４ａａ〜３４ａｃに分かれている。取付部３４ｂは、取付部３４ａおよび取付部３４ｂが互いに離れる方向、及び、収納袋２１に紙幣が収納される方向に垂直な方向に並ぶように、３つの部位３４ｂａ〜３４ｂｃに分かれている。
【０１０２】
部位３４ａａ〜３４ａｃの各々には、収納袋２１の被取付部５１ａの穴が係合するためのピンが、少なくとも１つ形成される。図１０の例では、部位３４ａａ〜３４ａｃの各々には、ピン４２ａａ〜４２ａｃが１つずつ形成されている。
【０１０３】
部位３４ｂａ〜３４ｂｃの各々には、収納袋２１の被取付部５１ｂの穴が係合するためのピンが、少なくとも１つ形成される。図１０の例では、部位３４ｂａ〜３４ｂｃの各々には、ピン４２ｂａ〜４２ｂｃが１つずつ形成されている。
【０１０４】
取付部３４ｂの３つの部位３４ｂａ〜３４ｂｃの各々は、保持部駆動部７３によって、独立して駆動（個別に駆動）される。また、３つの部位３４ｂａ〜３４ｂｃのうち、任意の１つまたは２つのみを移動させることができる。制御部１０は、収納袋２１のシール処理が完了すると、保持部駆動部７３を制御し、３つの部位３４ｂａ〜３４ｂｃを、取付部３４ａから離れる方向に移動させる。例えば、制御部１０は、３つの部位３４ｂａ〜３４ｂｃを、図１０の矢印Ａ８に示す方向に移動させる。
【０１０５】
上記したように、取付部３４ｂの部位３４ｂａ〜３４ｂｃの各々には、収納袋２１の被取付部５１ａの穴が係合するためのピン４２ｂａ〜４２ｂｃが１つずつ形成されている。そのため、取付部３４ｂの部位３４ｂａ〜３４ｂｃの各々は、保持部駆動部７３によって取付部３４ａから離れる方向に移動させられた場合、収納袋２１の被取付部５１ａの部位３４ｂａ〜３４ｂｃの各々に取り付けられた部分を、取付部３４ａから離れる方向に引っ張る。
【０１０６】
したがって、シール処理後の収納袋２１において、例えば、収納袋２１のシール部分５０に小さな隙間が生じると、隙間に対応した位置の部位３４ｂａ〜３４ｂｃの離間距離が大きくなる。例えば、シール処理後の収納袋２１において、図１０に示す位置Ｐ１に小さな隙間が生じていたとする。この場合、部位３４ａｂと部位３４ｂｂの離間距離は、部位３４ａａと部位３４ｂａの離間距離、及び部位３４ａｃと部位３４ｂｃの離間距離より大きくなる。つまり、各取付部を複数の部位に分割することにより、各取付部が分割されていない場合に比べて、小さな隙間が生じた場合も、大きな離間距離となって現れる。
【０１０７】
制御部１０は、部位３４ｂａ〜３４ｂｃごとに離間距離を取得する。例えば、制御部１０は、部位３４ａａと部位３４ｂａとの離間距離を取得する。制御部１０は、部位３４ａｂと部位３４ｂｂとの離間距離を取得する。制御部１０は、部位３４ａｃと部位３４ｂｃとの離間距離を取得する。
【０１０８】
制御部１０は、部位３４ｂａ〜３４ｂｃごとに取得した離間距離に基づいて、収納袋２１のシール状態が適切であるか否かを判定する。例えば、制御部１０は、部位３４ｂａ〜３４ｂｃごとの離間距離の全てが第１閾値未満であれば、収納袋２１のシール状態は適切であると判定する。
【０１０９】
一方、制御部１０は、部位３４ｂａ〜３４ｂｃごとの離間距離のうち、１つでも第１閾値以上であれば、収納袋２１のシール状態は不適切であると判定する。例えば、図部位３４ａａと部位３４ｂａとの離間距離および部位３４ａｃと部位３４ｂｃとの離間距離が第１閾値未満、部位３４ａｂと部位３４ｂｂとの離間距離が第１閾値以上であれば、制御部１０は、収納袋２１のシール状態は不適切であると判定する。
【０１１０】
（第２の実施の形態のまとめ）
以上説明したように、第２の実施の形態に係る紙葉類処理装置１においては、取付部３４ｂは、取付部３４ａおよび取付部３４ｂが離れる方向と、収納袋２１に紙幣が収納される方向とに垂直な方向に並ぶ、複数の部位３４ｂａ〜３４ｂｃで構成される。保持部駆動部７３は、複数の部位３４ｂａ〜３４ｂｃの各々を独立して、取付部３４ａから離れる方向に駆動する。これにより、紙幣処理装置１は、収納袋２１の適切なシール状態をさらに厳密に判定できる。例えば、紙幣処理装置１は、収納袋２１に小さな隙間が生じていても、これを見逃すことなく、収納袋２１のシール状態は不適切であると判定できる。
【０１１１】
（変形例７）
第２の実施の形態では、取付部３４ａ，３４ｂの両方が、複数の部位３４ａａ〜３４ａｃ，３４ｂａ〜３４ｂｃに分けられていたがこれに限られない。取付部３４ａ，３４ｂのうち、保持部駆動部７３によって駆動される取付部３４ａ，３４ｂのみが、複数の部位に分けられていてもよい。図１０の例の場合、取付部３４ｂが保持部駆動部７３によって駆動される。従って、取付部３４ｂが、複数の部位３４ｂａ〜３４ｂｃで構成され、取付部３４ａが、１つの部位で構成されてもよい。
【０１１２】
（変形例８）
第２の実施の形態では、取付部３４ａ，３４ｂは、それぞれ３つの部位３４ａａ〜３４ａｃ，３４ｂａ〜３４ｂｃに分けられていたがこれに限られない。取付部３４ａ，３４ｂの各々は、２つの部位に分けられてもよいし、４つ以上の部位に分けられてもよい。
【産業上の利用可能性】
【０１１３】
本発明は、収納袋に紙幣等の紙葉類、硬貨、その他各種の有価媒体を収納する有価媒体処理装置に好適に利用することが可能であり、その産業上の利用可能性は多大である。
【符号の説明】
【０１１４】
１  紙幣処理装置
２  投入部
３  搬送部
４  識別部
５  一時保留部
６  投出部
６ａ  羽根車駆動部
７，８  収納フレーム
９  操作表示部
１０  制御部
２１，２２  収納袋
３１  送出し部
３２  プッシャ（押圧部）
３３ａ，３３ｂ  一時保留板
３４ａ，３４ｂ  取付部
３５ａ，３５ｂ，３７ａ，３７ｂ  加熱部
３６ａ，３６ｂ  ステージ（支持部）
４０  撮像部
４１  枠体
４２ａａ〜４２ａｃ，４２ｂａ〜４２ｂｃ  ピン
４３  ガイドピン
４４  長穴
５０  シール部分
５１ａ，５１ｂ  被取付部
５２ａａ〜５２ａｃ，５２ｂａ〜５２ｂｃ  穴
６１  記憶部
６２  通信インタフェース部
７１，８１  プッシャ駆動部
７２，８２  一時保留板駆動部
７３，８３  保持部駆動部
７４，８４  ステージ駆動部
８５，８６  加熱部
９０  隙間
Ｂ１  紙幣
【図１】
2020166425.tif 000003
【図２】
2020166425.tif 000004
【図３】
2020166425.tif 000005
【図４】
2020166425.tif 000006
【図５】
2020166425.tif 000007
【図６】
2020166425.tif 000008
【図７】
2020166425.tif 000009
【図８】
2020166425.tif 000010
【図９】
2020166425.tif 000011
【図１０】
2020166425.tif 000012